(57)【要約】【課題】通過帯域が近接する２つのフィルタ回路の通過特性が干渉することなく、相互の減衰量を適切に設定することができる分波回路および中間周波回路を提供する。【解決手段】本発明の分波回路１は、低い周波数帯域を通過させる第１のローパスフィルタ２、高い周波数帯域を通過させる第１のハイパスフィルタ３などを備える。第１のハイパスフィルタ３は多段接続した５個の直列共振回路３ａ〜３ｅからなる。第１のハイパスフィルタ３の５個の直列共振回路３ａ〜３ｅにおいて第１のローパスフィルタ２の上端周波数に近似の周波数を共振周波数とする第１の直列共振回路３ｅが他の直列共振回路３ａ〜３ｄよりも後段に接続される。【選択図】図１
2010161555.tif 000002
【特許請求の範囲】
【請求項１】
第１の周波数帯域を利用する第１の信号と前記第１の周波数帯域よりも高い周波数帯域である第２の周波数帯域を利用する第２の信号との２つの信号が入出力される信号入出力端子と、
前記第２の信号を通過させずに前記第１の信号を通過させる第１のローパスフィルタと、
異なる共振周波数にそれぞれ設定された複数の直列共振回路を並列に多段接続することにより形成されており、前記第１の信号を通過させずに前記第２の信号を通過させる第１のハイパスフィルタと、
前記信号入出力端子と前記第１のローパスフィルタおよび第１のハイパスフィルタとの間において前記第１のローパスフィルタの一端と前記第１のハイパスフィルタの一端とを接続する分岐点と
を備えており、
前記複数の直列共振回路において前記第１の周波数帯域の上端周波数に最も近い周波数を共振周波数とする第１の直列共振回路は、前記分岐点側を前段とすると、当該第１の直列共振回路以外の１個または２個以上の前記直列共振回路よりも後段に接続されている
ことを特徴とする分波回路。
【請求項２】
前記複数の直列共振回路において前記第１の周波数帯域の上端周波数から最も離れた周波数を共振周波数とする第２の直列共振回路は、前記複数の直列共振回路において最前段に接続されている
ことを特徴とする請求項１に記載の分波回路。
【請求項３】
前記第１の直列共振回路は、前記複数の直列共振回路において最後段に接続されている
ことを特徴とする請求項１または請求項２に記載の分波回路。
【請求項４】
前記第１のローパスフィルタは、異なる共振周波数にそれぞれ設定された複数の並列共振回路を直列に多段接続することにより形成されており、
前記複数の並列共振回路において前記第２の周波数帯域の下端周波数に最も近い周波数を共振周波数とする第１の並列共振回路は、前記分岐点側を前段とすると、当該第１の並列共振回路以外の１個または２個以上の前記並列共振回路よりも後段に接続されている
ことを特徴とする請求項１から請求項３のいずれか１項に記載の分波回路。
【請求項５】
前記複数の並列共振回路において前記第２の周波数帯域の下端周波数から最も離れた周波数を共振周波数とする第２の並列共振回路は、前記複数の並列共振回路において最前段に接続されている
ことを特徴とする請求項４に記載の分波回路。
【請求項６】
前記第１の並列共振回路は、前記複数の並列共振回路において最後段に接続されている
ことを特徴とする請求項４または請求項５に記載の分波回路。
【請求項７】
前記分岐点と前記第１のローパスフィルタの一端との間に接続されており、前記第２の周波数帯域の下端周波数の近傍であって前記第２の周波数帯域の下端周波数以上の周波数を共振周波数とするピーキング回路を備えている
ことを特徴とする請求項１から請求項６のいずれか１項に記載の分波回路。
【請求項８】
前記信号入出力端子と前記分岐点との間において異なる共振周波数にそれぞれ設定された複数の並列共振回路を直列に多段接続することにより形成されており、前記第１の信号および前記第２の信号を通過させる第２のローパスフィルタを備えている
ことを特徴とする請求項１から請求項７のいずれか１項に記載の分波回路。
【発明の詳細な説明】
【技術分野】
【０００１】
本発明は、分波回路に係り、特に、デジタルテレビジョン放送用周波数帯域やＭｏＣＡ用周波数帯域などの一方の周波数帯域の上端周波数が他方の周波数帯域の下端周波数に近接する２つの信号を分波する際に好適に利用できる分波回路に関する。
【背景技術】
【０００２】
近年、既存の同軸ケーブルを利用した家庭用高速ブロードバンド通信がＭｏＣＡ（同軸ケーブル・マルチメディア協会）により規格化され、その利用が開始されている。この家庭用高速ブロードバンド通信に用いる同軸ケーブルはデジタルテレビジョン放送受信機に用いるものを利用するため、デジタルテレビジョン放送用チューナに送信される信号（以下、「メイン信号」という。）の周波数帯域と、ＭｏＣＡにより規格化された通信用信号（以下、「ＭｏＣＡ信号」という。）の周波数帯域とに分波する分波回路が同軸ケーブルに配設されている。
【０００３】
従来の分波回路１１１は、その一例として、図５に示すように、信号入出力端子１０４、分岐点１０７、メイン信号用フィルタ回路１０２、１０８、メイン信号用端子１０５、ＭｏＣＡ信号用フィルタ回路１０３およびＭｏＣＡ信号用端子１０６を備えている。メイン信号用フィルタ回路１０２、１０８は、分岐点１０７とメイン信号用端子１０５との間に接続された回路である。メイン信号の周波数帯域は５４ＭＨｚ〜８６４ＭＨｚに設定されているため、メイン信号用フィルタ回路１０２、１０８としては、例えば、通過帯域を８６４ＭＨｚ以下の周波数帯域に設定したローパスフィルタを前段に接続し、通過帯域を５４ＭＨｚ以上の周波数帯域に設定したハイパスフィルタを後段に接続した回路が用いられていた。
【０００４】
一方、ＭｏＣＡ信号用フィルタ回路１０３は、分岐点１０７とＭｏＣＡ信号用端子１０６との間に接続された回路である。ＭｏＣＡ信号の周波数帯域は１１２５ＭＨｚ〜１５２５ＭＨｚに設定されているため、ＭｏＣＡ信号用フィルタ回路１０３としては、例えば、通過帯域を１１２５ＭＨｚ〜１５２５ＭＨｚに設定したバンドパスフィルタが用いられていた。
【０００５】
そして、メイン信号用フィルタ回路１０２、１０８およびＭｏＣＡ信号用フィルタ回路１０３に用いられるローパスフィルタ、ハイパスフィルタおよびバンドパスフィルタは、図示しない複数の並列共振回路および直列共振回路が直列または並列に多段接続することにより形成されていた。
【先行技術文献】
【特許文献】
【０００６】
【特許文献１】特開２００３−６９３６２号公報
【発明の概要】
【発明が解決しようとする課題】
【０００７】
従来の分波回路１１１においては、図６に示すように、メイン信号用フィルタ回路１０２の上端周波数８６４ＭＨｚとＭｏＣＡ信号用フィルタ回路１０３の下端周波数１１２５ＭＨｚとがある程度離れていた。そのため、メイン信号用フィルタ回路１０２の通過特性とＭｏＣＡ信号用フィルタ回路１０３の通過特性とが干渉しあうことはなかった。
【０００８】
しかしながら、メイン信号用フィルタ回路の通過帯域を更に上側に拡張するためにメイン信号用フィルタ回路１０２の上端周波数を９９９ＭＨｚに設計変更した場合、ＭｏＣＡ信号用フィルタ回路１０３の下端周波数１１２５ＭＨｚにさらに接近し、メイン信号用フィルタ回路１０２の通過特性がＭｏＣＡ信号用フィルタ回路１０３の通過特性と干渉してしまうという問題があった。
【０００９】
上記の干渉例を図７に示す。図７は、図５に示す従来の分波回路１１１において、メイン信号用フィルタ回路１０２の通過特性を変更した後におけるメイン信号用フィルタ回路１０２およびＭｏＣＡ信号用フィルタ回路１０３の通過特性を示したグラフである。図７右側の点線で示した曲線はメイン信号用フィルタ回路１０２の通過特性の変更前を示し、実線で示した曲線はメイン信号用フィルタ回路１０２の通過特性の変更後を示している。図７に示すように、この干渉により、従来の分波回路１１１においては、ＭｏＣＡ信号用フィルタ回路１０３の下端周波数１１２５ＭＨｚ付近に大きなトラップが生じてしまうという問題があった。
【００１０】
また、ＭｏＣＡ信号用フィルタ回路１０３の下端周波数以下の周波数において適切な減衰量が得られないという問題もあった。
【００１１】
この問題の原因の１つとしては、メイン信号用フィルタ回路１０２およびＭｏＣＡ信号用フィルタ回路１０３の両回路に用いられている共振回路が互いに悪影響を及ぼしているのではないかと考えられる。
【００１２】
また、従来の分波回路１１１においては、分岐点１０７の後段に設けられたＭｏＣＡ信号用フィルタ回路１０３において、メイン信号用フィルタ回路１０２と同様に並列共振回路を用いて共有のローパスフィルタを形成していた。この点についても、メイン信号用フィルタ回路１０２の上端周波数が９９９ＭＨｚに設計変更された場合にメイン信号用フィルタ回路１０２およびＭｏＣＡ信号用フィルタ回路１０３の通過特性が相互に干渉してしまう原因にもなっていた。
【００１３】
そこで、本発明はこれらの点に鑑みてなされたものであり、通過帯域が近接する２つのフィルタ回路の通過特性が干渉することなく、相互の減衰量を適切に設定することができる分波回路を提供することを本発明の目的としている。
【課題を解決するための手段】
【００１４】
前述した目的を達成するため、本発明の分波回路は、その第１の態様として、第１の周波数帯域を利用する第１の信号と第１の周波数帯域よりも高い周波数帯域である第２の周波数帯域を利用する第２の信号との２つの信号が入出力される信号入出力端子と、第２の信号を通過させずに第１の信号を通過させる第１のローパスフィルタと、異なる共振周波数にそれぞれ設定された複数の直列共振回路を並列に多段接続することにより形成されており、第１の信号を通過させずに第２の信号を通過させる第１のハイパスフィルタと、信号入出力端子と前記第１のローパスフィルタ及び第１のハイパスフィルタとの間において前記第１のローパスフィルタの一端と前記第１のハイパスフィルタの一端とを接続する分岐点とを備えており、複数の直列共振回路において第１の周波数帯域の上端周波数に最も近い周波数を共振周波数とする第１の直列共振回路は、分岐点側を前段とすると、第１の直列共振回路以外の１個または２個以上の直列共振回路よりも後段に接続されていることを特徴としている。
【００１５】
本発明の第１の態様の分波回路によれば、第１のハイパスフィルタが並列共振回路を用いず複数の直列共振回路を並列接続した回路であって、第１のローパスフィルタに対して他の直列共振回路を介在させて第１の直列共振回路を接続したので、第１のハイパスフィルタの通過特性によって第１のローパスフィルタにおける上端周波数付近の通過特性が劣化することを抑制することができる。
【００１６】
本発明の第２の態様の分波回路は、第１の態様の分波回路において、複数の直列共振回路において第１の周波数帯域の上端周波数から最も離れた周波数を共振周波数とする第２の直列共振回路は、複数の直列共振回路において最前段に接続されていることを特徴としている。
【００１７】
本発明の第２の態様の分波回路によれば、第１のローパスフィルタにおける上端周波数付近の通過特性に悪影響を及ぼすことなく、その上端周波数付近の通過特性が劣化することを抑制することができる。
【００１８】
本発明の第３の態様の分波回路は、第１または第２の態様の分波回路において、第１の直列共振回路は、複数の直列共振回路において最後段に接続されていることを特徴としている。
【００１９】
本発明の第３の態様の分波回路によれば、第１のハイパスフィルタの通過特性によって第１のローパスフィルタにおける上端周波数付近の通過特性が劣化することを最も抑制することができる。
【００２０】
本発明の第４の態様の分波回路は、第１から第３のいずれか１の態様の分波回路において、第１のローパスフィルタは、異なる共振周波数にそれぞれ設定された複数の並列共振回路を直列に多段接続することにより形成されており、複数の並列共振回路において第２の周波数帯域の下端周波数に最も近い周波数を共振周波数とする第１の並列共振回路は、分岐点側を前段とすると、第１の並列共振回路以外の１個または２個以上の並列共振回路よりも後段に接続されていることを特徴としている。
【００２１】
本発明の第４の態様の分波回路によれば、第１のハイパスフィルタに対して他の並列共振回路を介在させて第１の並列共振回路を接続したので、第１のローパスフィルタの通過特性によって第１のハイパスフィルタにおける下端周波数付近の通過特性が劣化することを抑制することができる。
【００２２】
本発明の第５の態様の分波回路は、第４の態様の分波回路において、複数の並列共振回路における第２の周波数帯域の下端周波数から最も離れた周波数を共振周波数とする第２の並列共振回路は、複数の並列共振回路において最前段に接続されていることを特徴としている。
【００２３】
本発明の第５の態様の分波回路によれば、第１のハイパスフィルタにおける下端周波数付近の通過特性に悪影響を及ぼすことなく、第１のローパスフィルタの通過特性によって第１のハイパスフィルタにおける下端周波数付近の通過特性が劣化することを抑制することができる。
【００２４】
本発明の第６の態様の分波回路は、第１から第５のいずれか１の態様の分波回路において、第１の並列共振回路は、複数の並列共振回路において最後段に接続されていることを特徴としている。
【００２５】
本発明の第６の態様の分波回路によれば、第１のローパスフィルタの通過特性によって第１のハイパスフィルタにおける下端周波数付近の通過特性が劣化することを最も抑制することができる。
【００２６】
本発明の第７の態様の分波回路は、第１から第６のいずれか１の態様の分波回路において、分岐点と第１のローパスフィルタの一端との間に接続されており、第２の周波数帯域の下端周波数の近傍であって第２の周波数帯域の下端周波数以上の周波数を共振周波数とするピーキング回路を備えていることを特徴としている。
【００２７】
本発明の第７の態様の分波回路によれば、第１の直列共振回路よりも前段に接続した他の直列共振回路の段数が増加することにより第１のハイパスフィルタに生じる第１のハイパスフィルタの下端周波数付近の通過特性の劣化を改善することができる。
【００２８】
本発明の第８の態様の分波回路は、第１から第７のいずれか１の態様の分波回路において、信号入出力端子と分岐点との間において異なる共振周波数にそれぞれ設定された複数の並列共振回路を直列に多段接続することにより形成されており、第１の信号および第２の信号を通過させる第２のローパスフィルタを備えていることを特徴としている。
【００２９】
本発明の第８の態様の分波回路によれば、第２のローパスフィルタは第１のローパスフィルタおよび第１のハイパスフィルタの前段に接続されているため、第１のローパスフィルタおよび第１のハイパスフィルタに悪影響を及ぼさずに、第２のローパスフィルタの通過帯域に含まれる信号を通過させることができる。
【発明の効果】
【００３０】
本発明の分波回路によれば、第１のローパスフィルタの上端周波数付近における通過特性および第１のハイパスフィルタの下端周波数付近における通過特性が相互に劣化することを抑制したので、第１のローパスフィルタおよび第１のハイパスフィルタの通過特性が干渉することなく相互の減衰量を適切に設定することができるという効果を奏する。
【図面の簡単な説明】
【００３１】
【図１】本実施形態の中間周波回路および分波回路を示すブロック図
【図２】本実施形態の中間周波回路および分波回路を示す等価回路図
【図３】本実施形態の分波回路におけるフィルタ回路の通過特性を示すグラフ
【図４】本実施形態の中間周波回路においてピーキング回路の有無によるフィルタ回路の通過特性を示すグラフ
【図５】従来の分波回路の一例を示すブロック図
【図６】従来の分波回路の一例におけるフィルタ回路の通過特性を示すグラフ
【図７】従来の分波回路の一例においてメイン信号用フィルタ回路の設計変更によりその通過帯域がＭｏＣＡ信号用フィルタ回路の通過帯域に接近した場合のフィルタ回路の通過特性を示すグラフ
【発明を実施するための形態】
【００３２】
以下、本発明の分波回路をその一実施形態により説明する。
【００３３】
図１は、本実施形態の分波回路１を示すブロック図である。また、図２は、本実施形態の分波回路１を示す回路図である。本実施形態の分波回路１は、図１および図２に示すように、ピーキング回路１０、第２のローパスフィルタ９、信号入出力端子４、分岐点７、第１のローパスフィルタ２および第１のハイパスフィルタ３を備えている。
【００３４】
信号入出力端子４は、図１および図２に示すように、少なくともメイン信号およびＭｏＣＡ信号の２つの信号が入出力される端子である。このメイン信号は第１の信号として選択されており、第１の周波数帯域となるメイン信号の周波数帯域は５４ＭＨｚ〜９９９ＭＨｚである。また、このＭｏＣＡ信号は第２の信号として選択されており、第２の周波数帯域となるＭｏＣＡ信号の周波数帯域はメイン信号の周波数帯域よりも高い１１２５ＭＨｚ〜１５２５ＭＨｚである。
【００３５】
分岐点７は、図１および図２に示すように、信号入出力端子４と第１のローパスフィルタ２および第１のハイパスフィルタ３との間において第１のローパスフィルタ２の一端と第１のハイパスフィルタ３の一端とを接続する接点である。なお、第１のローパスフィルタ２の他端はメイン信号用端子５に接続され、第１のハイパスフィルタ３の他端はＭｏＣＡ信号用端子６に接続される。
【００３６】
第１のローパスフィルタ２の通過帯域は、図１に示すように、ＭｏＣＡ信号を通過させずにメイン信号を通過させる周波数帯域、すなわち９９９ＭＨｚを上端周波数として設定されている。この第１のローパスフィルタ２は、図２に示すように、異なる共振周波数にそれぞれ設定された５個の並列共振回路２ａ〜２ｅを直列に多段接続することにより形成されている。この並列共振回路（例えば２ａ）は、並列に接続されたコンデンサおよびインダクタの両端を接続端とした回路である。
【００３７】
これら５個の並列共振回路２ａ〜２ｅのうち、メイン信号の周波数帯域の上端周波数（９９９MHｚ）に最も近い周波数１１２５ＭＨｚを共振周波数とする並列共振回路を第１の並列共振回路２ｅとする。この第１の並列共振回路２ｅは、分岐点７側を前段側とすると、第１の並列共振回路２ｅ以外の１個または２個以上の並列共振回路（例えば２ａ）よりも後段に接続されている。第１の並列共振回路２ｅは、図２に示すように、最後段に接続されていることが好ましい。また、メイン信号の周波数帯域の上端周波数（９９９MHｚ）から最も離れた周波数１．５ＧＨｚを共振周波数とする並列共振回路を第２の並列共振回路２ａとする。この第２の並列共振回路２ａは、５個の並列共振回路２ａ〜２ｅにおいて最前段に接続されていることが好ましい。
【００３８】
なお、これら５個の並列共振回路２ａ〜２ｅの後段には、５４ＭＨｚ以上の周波数帯域を通過帯域とする第２のハイパスフィルタ８を接続しておくとよい。この第２のハイパスフィルタ８は、４個の直列共振回路８ａ〜８ｄを直列に多段接続することにより形成されている。この直列共振回路（例えば８ａ）は、直列に接続したコンデンサおよびインダクタの一端を接続端とし、その他端を接地させた回路である。
【００３９】
第１のハイパスフィルタ３の通過帯域は、図１に示すように、メイン信号を通過させずにＭｏＣＡ信号を通過させる周波数帯域、すなわち１１２５ＭＨｚ以上の周波数帯域に設定されている。この第１のハイパスフィルタ３は、図２に示すように、異なる共振周波数にそれぞれ設定された５個の直列共振回路３ａ〜３ｅを並列に多段接続することにより形成されている。この直列共振回路（例えば３ａ）は、直列に接続したコンデンサおよびインダクタの一端を接続端とし、その他端を接地させた回路である。
【００４０】
これら５個の直列共振回路３ａ〜３ｅのうち、ＭｏＣＡ信号の周波数帯域の下端周波数（１１２５MHｚ）に最も近い周波数９９９ＭＨｚを共振周波数とする直列共振回路を第１の直列共振回路３ｅとする。この第１の直列共振回路３ｅは、分岐点７側を前段とすると、第１の直列共振回路３ｅ以外の１個または２個以上の直列共振回路よりも後段に接続されている。第１の直列共振回路３ｅは、５個の直列共振回路３ａ〜３ｅにおいて最後段に接続されていることが好ましい。また、ＭｏＣＡ信号の周波数帯域の下端周波数（１１２５MHｚ）から最も離れた周波数２ＧＨｚを共振周波数とする直列共振回路を第２の直列共振回路３ａとする。この第２の直列共振回路３ａは、５個の直列共振回路３ａ〜３ｅにおいて最前段に接続されていることが好ましい。
【００４１】
なお、この第１のハイパスフィルタ３には、並列共振回路が接続されていない。
【００４２】
ピーキング回路１０は、分岐点７と第１のローパスフィルタ２の一端との間に接続されている。このピーキング回路１０は、直列接続されたコンデンサＣおよび第１のインダクタＬ１からなる合成素子と第２のインダクタＬ２とを並列接続することにより形成されている。また、ピーキング回路１０の共振周波数は、ＭｏＣＡ信号の周波数帯域の下端周波数（１１２５ＭＨｚ）の近傍であり、かつ、ＭｏＣＡ信号の周波数帯域の下端周波数（１１２５ＭＨｚ）以上の周波数１．２ＧＨｚに設定されている。
【００４３】
第２のローパスフィルタ９は、図１に示すように、第３のフィルタ回路として、信号入出力端子４と分岐点７との間に接続されており、その通過帯域が、メイン信号およびＭｏＣＡ信号を通過させる周波数帯域、すなわち１５２５ＭＨｚ以下の周波数帯域に設定されている。この第２のローパスフィルタ９は、図２に示すように、異なる共振周波数にそれぞれ設定された４個の並列共振回路９ａ〜９ｄを直列に多段接続することにより形成されている。この並列共振回路（例えば９ａ）は、並列に接続されたコンデンサおよびインダクタの両端を接続端とした回路である。
【００４４】
次に、本実施形態の分波回路１の作用を説明する。
【００４５】
図３は、本実施形態の分波回路１におけるフィルタ回路の通過特性を示すグラフである。図３において、点線で示した２つの曲線は、図５における従来回路の場合の通過特性の状態を示している。また、実線で示した２つの曲線は、図１における本実施形態の第１のローパスフィルタ２および第１のハイパスフィルタ３の通過特性の状態を示している。
【００４６】
本実施形態の分波回路１においては、図２に示すように、５個の直列共振回路３ａ〜３ｅを分岐点７からＭｏＣＡ信号用端子６に向けて順に直列接続してなる第１のハイパスフィルタ３が接続されている。この第１のハイパスフィルタ３においては、並列共振回路が用いられていない。また、５個の直列共振回路３ａ〜３ｅのうち、メイン信号の上端周波数近傍の周波数（９９９ＭＨｚ）を共振周波数とする第１の直列共振回路３ｅが第１のローパスフィルタ２に対して他の直列共振回路（例えば３ａ）を介在させて接続されている。そのため、第１のローパスフィルタ２の通過特性が図３左側に点線で示した曲線の状態から実線で示した曲線の状態に移行し、第１のハイパスフィルタ３の通過特性によって第１のローパスフィルタ２における上端周波数付近の通過特性が劣化することを抑制することができるので、第１のローパスフィルタ２および第１のハイパスフィルタ３の通過特性が干渉することなく相互の減衰量を適切に設定することができる。
【００４７】
また、第１の直列共振回路３ｅの接続位置は、５個の直列共振回路３ａ〜３ｅのうちＭｏＣＡ信号用端子６に向けて後段に移動するほど第１のローパスフィルタ２の通過特性が劣化しづらくなる。そのため、第１の直列共振回路３ｅが最後段に接続されていると、第１のハイパスフィルタ３の通過特性によって第１のローパスフィルタ２における上端周波数付近の通過特性が劣化することを最も効果的に抑制することができる。
【００４８】
それに対し、メイン信号の上端周波数（９９９ＭＨｚ）から最も離れた周波数２ＧＨｚを共振周波数とする第２の直列共振回路３ａは、５個の直列共振回路３ａ〜３ｅにおいて前段に接続されていても、その共振周波数がメイン信号の上端周波数（９９９ＭＨｚ）から離れているため、第１のローパスフィルタ２の通過特性が劣化しづらい。そこで、５個の直列共振回路３ａ〜３ｅにおいて第２の直列共振回路３ａを最前段に接続すると、第１のローパスフィルタ２の通過特性に悪影響を及ぼすことなく、また、第１の直列共振回路３ｅの接続位置との関係においてその上端周波数付近の通過特性が劣化することを抑制することができる。
【００４９】
また、本実施形態の分波回路１においては、５個の並列共振回路２ａ〜２ｅを分岐点７からメイン信号用端子５に向けて順に直列接続してなる第１のローパスフィルタ２が接続されている。第１のハイパスフィルタ３とは異なり、第１のローパスフィルタ２の後段に４個の直列共振回路８ａ〜８ｄからなる第２のハイパスフィルタ８が接続されていてもよい。また、５個の並列共振回路２ａ〜２ｅのうち、第１のローパスフィルタ２の上端周波数９９９MHｚに最も近いＭｏＣＡ信号の周波数帯域の下端周波数（１１２５ＭＨｚ）を共振周波数とする第１の並列共振回路２ｅが、第１のハイパスフィルタ３に対して他の並列共振回路（例えば２ａ）を介在させて接続されている。そのため、第１のハイパスフィルタ３の通過特性が図３右側に点線で示した曲線の状態から実線で示した曲線の状態に移行し、第１のローパスフィルタ２の通過特性によって第１のハイパスフィルタ３における下端周波数付近の通過特性が劣化することを抑制することができるので、第１のローパスフィルタ２および第１のハイパスフィルタ３の通過特性が干渉することなく相互の減衰量を適切に設定することができる。
【００５０】
また、第１の並列共振回路２ｅの接続位置は後段に移動するほど第１のハイパスフィルタ３の通過特性が劣化しづらくなる。そのため、第１の並列共振回路２ｅが最後段に接続されていると、第１のローパスフィルタ２の通過特性によって第１のハイパスフィルタ３における下端周波数付近の通過特性が劣化することを最も効果的に抑制することができる。
【００５１】
それに対し、ＭｏＣＡ信号の周波数帯域の下端周波数（１１２５ＭＨｚ）から最も離れた周波数を共振周波数とする第２の並列共振回路２ａは、５個の並列共振回路２ａ〜２ｅにおいて前段に接続されていても、その共振周波数がＭｏＣＡ信号の下端周波数（１１２５ＭＨｚ）から離れているため、第１のハイパスフィルタ３の通過特性が劣化しづらい。そこで、５個の並列共振回路２ａ〜２ｅにおいて第２の並列共振回路２ａを最前段に接続すると、第１のハイパスフィルタ３の通過特性に悪影響を及ぼすことがなくなるとともに、第１の並列共振回路２ｅの接続位置との関係においてその下端周波数付近の通過特性が劣化することを抑制することができる。
【００５２】
また、本実施形態の分波回路１においては、図１および図２に示すように、分岐点７と第１のローパスフィルタ２との間に、ピーキング回路１０が接続されている。このピーキング回路１０の共振周波数は、ＭｏＣＡ信号の周波数帯域の下端周波数（１１２５ＭＨｚ）の近傍であって当該下端周波数（１１２５ＭＨｚ）以上の周波数に設定されているため、当該下端周波数（１１２５ＭＨｚ）の通過特性が強められる。これにより、図４に示すように、第１の直列共振回路３ｅよりも前段に接続した他の直列共振回路（例えば３ａ）の段数が増加することにより劣化した第１のハイパスフィルタ３の通過特性を図４右側の点線で示した曲線から実線で示した曲線まで改善することができる。
【００５３】
さらに、本実施形態の分波回路１においては、図１および図２に示すように、第２のローパスフィルタ９が接続されている。この第２のローパスフィルタ９は４個の並列共振回路９ａ〜９ｄを直列に多段接続することにより形成されており、第１のハイパスフィルタ３および第１のローパスフィルタ２の前段に位置している信号入出力端子４と分岐点７との間に接続されている。そのため、並列共振回路９ａ〜９ｄが用いられても第１のハイパスフィルタ３や第１のローパスフィルタ２に悪影響を及ぼさずに、第２のローパスフィルタ９の通過帯域に含まれる信号を通過させることができる。
【００５４】
すなわち、本実施形態の分波回路１によれば、２つのフィルタ回路２、３の遮断周波数が近接した場合であっても、第１のローパスフィルタ２の上側の遮断周波数における通過特性および第１のハイパスフィルタ３の下側の遮断周波数における通過特性が相互に劣化することを抑制したので、第１のローパスフィルタ２および第１のハイパスフィルタ３の通過特性が干渉することなく相互の減衰量を適切に設定することができるという効果を奏する。
【００５５】
なお、本発明は、前述した実施形態などに限定されるものではなく、必要に応じて種々の変更が可能である。
【符号の説明】
【００５６】
１  分波回路
２  第１のローパスフィルタ
２ａ〜２ｅ  並列共振回路
３  第１のハイパスフィルタ
３ａ〜３ｅ  直列共振回路
４  信号入出力端子
５  メイン信号用端子
６  ＭｏＣＡ信号用端子
７  分岐点
８  第２のハイパスフィルタ
９  第２のローパスフィルタ
１０  ピーキング回路  
【図１】
2010161555.tif 000003
【図２】
2010161555.tif 000004
【図３】
2010161555.tif 000005
【図４】
2010161555.tif 000006
【図５】
2010161555.tif 000007
【図６】
2010161555.tif 000008
【図７】
2010161555.tif 000009